(57)【要約】  無線ネットワークにおけるマシンタイプ通信のためのｅＮｏｄｅＢおよび方法の実施形態が本明細書において概して記載される。いくつかの実施形態において、進化型ノードＢ（ｅＮｏｄｅＢ）の回路によって実行される方法は、ユーザ機器（ＵＥ）がマシンタイプ通信（ＭＴＣ）に用いられるよう設定されるという通知をｅＮｏｄｅＢが受信する段階を含み得る。当該方法は、ＵＥが無線リソース制御接続（ＲＲＣ＿Ｃｏｎｎｅｃｔｅｄ）状態にあるかどうかを決定する段階と、ＵＥが省電力モードに入り得るかどうかを決定する段階とを含み得る。当該方法は、ＵＥがＲＲＣ＿Ｃｏｎｎｅｃｔｅｄ状態にあり、かつ、ＵＥが省電力モードに入り得ると決定することに応答して、ＲＲＣディープアイドルモードに移行するようＵＥを設定する段階を含み得る。
2016527848.tif 000002
【特許請求の範囲】
【請求項１】
ユーザ機器（ＵＥ）がマシンタイプ通信（ＭＴＣ）に用いられるよう設定されるという通知を受信し、
前記ＵＥが接続状態にあるかどうかを決定し、
前記ＵＥが省電力モードに入り得るかどうかを決定し、
前記ＵＥが前記接続状態にあり、かつ、前記ＵＥが前記省電力モードに入り得るという決定に応答して、省電力モードに移行するよう前記ＵＥを設定するプロセッサを備える
進化型ノードＢ（ｅＮｏｄｅＢ）。
【請求項２】
前記接続状態が、無線リソース制御接続（ＲＲＣ＿Ｃｏｎｎｅｃｔｅｄ）状態を含み、かつ、前記省電力モードが無線リソース制御（ＲＲＣ）ディープアイドルモードを含む
請求項１に記載のｅＮｏｄｅＢ。
【請求項３】
前記ＵＥが前記省電力モードに入り得るかどうかを決定するための複数のオペレーションは、特定の時間が満了すると、無線リソース制御アイドル（ＲＲＣ＿Ｉｄｌｅ）状態に移行するよう前記ＵＥを設定するための複数のオペレーションを含む
請求項２に記載のｅＮｏｄｅＢ。
【請求項４】
前記ＲＲＣディープアイドルモードは、無線リソース制御アイドル（ＲＲＣ＿Ｉｄｌｅ）状態における設定である
請求項２に記載のｅＮｏｄｅＢ。
【請求項５】
前記ＲＲＣディープアイドルモードはＲＲＣディープアイドル状態であり、かつ、無線リソース制御アイドル（ＲＲＣ＿Ｉｄｌｅ）状態とは別々に設定される
請求項２に記載のｅＮｏｄｅＢ。
【請求項６】
ＲＲＣディープアイドルモードに移行するよう前記ＵＥを設定するための複数のオペレーションは、前記ＵＥにネットワークインジケーションを送信するための複数のオペレーションを含む
請求項２に記載のｅＮｏｄｅＢ。
【請求項７】
前記ネットワークインジケーションは、新たなＮＡＳシグナリングメッセージを含む
請求項６に記載のｅＮｏｄｅＢ。
【請求項８】
前記ネットワークインジケーションは、無線リソース制御接続解除（ＲＲＣＣｏｎｎｅｃｔｉｏｎＲｅｌｅａｓｅ）メッセージを含む
請求項６に記載のｅＮｏｄｅＢ。
【請求項９】
前記ネットワークインジケーションは、新たな無線リソース制御（ＲＲＣ）省電力解除メッセージを含む
請求項６に記載のｅＮｏｄｅＢ。
【請求項１０】
無線リソース制御アイドル（ＲＲＣ＿Ｉｄｌｅ）状態に移行するよう前記ＵＥを設定するための複数のオペレーションをさらに備える
請求項２に記載のｅＮｏｄｅＢ。
【請求項１１】
前記ＲＲＣアイドル状態に移行するよう前記ＵＥを設定するための複数のオペレーションは、データアクティビティが予期される場合のみ行われる
請求項１０に記載のｅＮｏｄｅＢ。
【請求項１２】
いつ省電力モードに移行するよう前記ＵＥを設定すべきかを決定するためのタイマを用いる複数のオペレーションをさらに備える
請求項１に記載のｅＮｏｄｅＢ。
【請求項１３】
通知を受信するための複数のオペレーションは、第３世代パートナーシッププロジェクト（３ＧＰＰ）ロングタームエボリューション（ＬＴＥ）ネットワークを備える無線通信ネットワークを介して行われる
請求項１から１２の何れか一項に記載のｅＮｏｄｅＢ。
【請求項１４】
特定の時間が満了すると、前記省電力モードを離れるよう前記ＵＥを設定するための複数のオペレーションをさらに備える
請求項１から１２の何れか一項に記載のｅＮｏｄｅＢ。
【請求項１５】
進化型ノードＢ（ｅＮｏｄｅＢ）の回路によって実行される方法であって、
ユーザ機器（ＵＥ）がマシンタイプ通信（ＭＴＣ）に用いられるよう設定されるという通知を前記ｅＮｏｄｅＢが受信する段階と、
前記ＵＥが接続状態にあるかどうかを決定する段階と、
前記ＵＥが省電力モードに入り得るかどうかを決定する段階と、
前記ＵＥが前記接続状態にあり、かつ、前記ＵＥが前記省電力モードに入り得るという決定に応答して、省電力モードに移行するよう前記ＵＥを設定する段階と、を備える
方法。
【請求項１６】
いつＲＲＣディープアイドルモードに移行するよう前記ＵＥを設定すべきかを決定するためのタイマを用いる段階をさらに備える
請求項１５に記載の方法。
【請求項１７】
前記ＵＥが省電力モードに入り得るかどうかを決定する段階は、特定の時間が満了すると、無線リソース制御アイドル（ＲＲＣ＿Ｉｄｌｅ）状態に移行するよう前記ＵＥを設定する段階を含む
請求項１５に記載の方法。
【請求項１８】
ＲＲＣディープアイドルモードに移行するよう前記ＵＥを設定する段階は、前記ＵＥにネットワークインジケーションを送信する段階を含む
請求項１５から１７の何れか一項に記載の方法。
【請求項１９】
機械によって実行されると、
ＵＥがマシンタイプ通信（ＭＴＣ）に用いられるよう設定されると前記ＵＥが決定し、
前記ＵＥが無線リソース制御接続（ＲＲＣ＿Ｃｏｎｎｅｃｔｅｄ）状態にあるかどうかを決定し、
前記ＵＥが省電力モードに入り得るかどうかを決定し、
前記ＵＥが前記ＲＲＣ＿Ｃｏｎｎｅｃｔｅｄ状態にあり、かつ、前記ＵＥが前記省電力モードに入り得ると決定することに応答して、ＲＲＣディープアイドルモードに移行するよう前記ＵＥを設定する
複数のオペレーションを前記機械に実行させる、コンピューティングシステムのオペレーションのための複数の命令を備える少なくとも１つの機械可読媒体。
【請求項２０】
いつＲＲＣディープアイドルモードに移行するよう前記ＵＥを設定すべきかを決定するためのタイマを用いる複数のオペレーションをさらに備える
請求項１９に記載の機械可読媒体。
【請求項２１】
前記ＵＥが省電力モードに入り得るかどうかを決定するための複数のオペレーションは、特定の時間が満了すると、無線リソース制御アイドル（ＲＲＣ＿Ｉｄｌｅ）状態に移行するよう前記ＵＥを設定するための複数のオペレーションを含む
請求項１９に記載の機械可読媒体。
【請求項２２】
ＲＲＣディープアイドルモードに移行するよう前記ＵＥを設定するための複数のオペレーションは、前記ＵＥにネットワークインジケーションを送信するための複数のオペレーションを含む
請求項１９から２１の何れか一項に記載の機械可読媒体。
【請求項２３】
マシンタイプ通信（ＭＴＣ）に用いられるよう設定されるトランシーバと、
前記トランシーバに結合されるプロセッサと、
を備えるユーザ機器（ＵＥ）であって、
前記プロセッサは、
前記ＵＥが無線リソース制御接続（ＲＲＣ＿Ｃｏｎｎｅｃｔｅｄ）状態にあるかどうかを決定し、
前記ＵＥが省電力モードに入り得るかどうかを決定し、
前記ＵＥが前記ＲＲＣ＿Ｃｏｎｎｅｃｔｅｄ状態にあり、かつ、前記ＵＥが前記省電力モードに入り得ると決定することに応答して、ＲＲＣディープアイドルモードに移行するよう前記ＵＥを設定する、
ＵＥ。
【請求項２４】
前記ＵＥが省電力モードに入り得るかどうかを決定することは、特定の時間が満了すると、無線リソース制御アイドル（ＲＲＣ＿Ｉｄｌｅ）状態に移行するよう前記ＵＥを設定することを含む
請求項２３に記載のＵＥ。
【請求項２５】
ＲＲＣディープアイドルモードに移行するよう前記ＵＥを設定することは、前記ＵＥにネットワークインジケーションを送信することを含む
請求項２４に記載のＵＥ。
【発明の詳細な説明】
【技術分野】
【０００１】
［優先権の主張］
本特許出願は、２０１３年８月８日出願の米国仮特許出願第６１／８６３，９０２号に対する優先権を主張する、２０１４年６月２７日出願の米国出願第１４／３１８，０８５号に対する優先権の利益を主張し、その両方は、これにより、それらの全体が本明細書において参照によって組み込まれる。
【背景技術】
【０００２】
スマートメータなどのマシンタイプ通信（ＭＴＣ）または複数のＭＴＣアプリケーションに用いられるユーザ機器（ＵＥ）は、ノーマディックである、低移動度を有する、低優先度データの送信を有する、または非常に頻度の低いもしくはスケジュールに従った少量のＭＯ（モバイル発信）もしくはＭＴ（モバイル着信）データを送信する、などの特定の特性を有する。複数のＭＴＣアプリケーションおよび複数のデバイスの可能性の多様さを考えると、何兆ものマシンツーマシン（Ｍ２Ｍ）通信が存在すると予想される。従って、複数のＭ２Ｍ通信によって生成される様々なデータは、ＵＥの寿命を高めるべく、ＵＥから効率的に伝送されること、および最小の消費電力を用いることが意図される。
【図面の簡単な説明】
【０００３】
【図１】いくつかの実施形態による、ＲＲＣディープアイドル状態を含むユーザ機器（ＵＥ）の複数の状態および複数の遷移を示す図の例を概して示す。
【０００４】
【図２】いくつかの実施形態による、省電力状態を含むＵＥの複数の状態および複数の遷移を示す図の例を概して示す。
【０００５】
【図３】いくつかの実施形態による、複数のシグナリングメッセージを示す図の例を概して示す。
【０００６】
【図４】いくつかの実施形態による、セル選択の遷移を示すフローチャートの例を概して示す。
【０００７】
【図５】いくつかの実施形態による、ディープアイドル副状態を含むＵＥの複数の状態および複数の遷移を示す図の例を概して示す。
【０００８】
【図６】いくつかの実施形態による、接続モードを離れるときのＵＥの複数の状態遷移を示す図の例を概して示す。
【０００９】
【図７】いくつかの実施形態による、複数のＵＥの複数の状態遷移を示す複数の波形の例を概して示す。
【００１０】
【図８】いくつかの実施形態による、無線リソース制御（ＲＲＣ）ディープアイドルモードに移行するようＵＥを設定する段階を含み得る、方法などの技術を概して示す。
【００１１】
【図９】いくつかの実施形態による、１または複数の実施形態が実装され得る機械のブロック図の例を概して示す。
【００１２】
必ずしも縮尺通りには描かれていない複数の図面において、同様の参照番号は複数の異なる図において同様のコンポーネントを示し得る。異なる添え字を有する同様の参照番号は、同様のコンポーネントの異なる例を表し得る。複数の図面は、本明細書において説明される様々な実施形態を、制限するためにではなく、例として概して示す。
【発明を実施するための形態】
【００１３】
マシンタイプ通信（ＭＴＣ）に用いられるユーザ機器（ＵＥ）において消費電力を最小にするための複数の技術が求められる。省電力関連情報を伝送するための一技術は、無線リソース制御（ＲＲＣ）接続解除、またはＲＲＣにおける等価なメッセージを介したものであり得る。新たなＲＲＣ省電力モードは本明細書において無線リソース制御ディープアイドル（ＲＲＣディープアイドル）モード、またはＲＲＣディープアイドル状態と呼ばれ、また、ＲＲＣ＿Ｉｄｌｅ状態であるときにＵＥが適用し得るＲＲＣ＿Ｉｄｌｅ状態または省電力モード内の副状態であると理解され得る。省電力モードは、ＵＥ接続時間を最小にすることによってシグナリングオーバーヘッドを被らず、省電力を最大にしながらデータを伝送またはチェックするための効率的なアルゴリズムをサポートし得る。新たな省電力状態、モード、または副状態は、いつ、ＵＥは依然としてネットワークに登録しているが、アクセス層（ＡＳ）をオフにし得るかを示すことを含み得る。ＵＥは、ページング、複数の測定の実行、またはセル再選択手順の実行に関するチェックなどのいずれの保留アイドルモード関連アクティビティも有さないことを含み得る。ＲＲＣアイドル内の新たな省電力副状態は本明細書においてＲＲＣディープアイドルモードまたはＲＲＣディープアイドル状態と呼ばれる。
【００１４】
ある例において、ＵＥの消費電力を最小にすべく時間を削減しながら、ＵＥがデータを送信、受信、またはチェックすることを可能にする効率的な技術を用いて、ＵＥはＲＲＣディープアイドル状態と複数のレガシー状態との間を遷移し得る。当該技術はまた、シグナリングオーバーヘッドを低減し得る。
【００１５】
別の方法は、コアネットワーク（ＣＮ）手順に対する改善を含み、アップリンク（ＵＬ）またはダウンリンク（ＤＬ）においてデータアクティビティが予期されない場合は進化型ノードＢ（ｅＮｏｄｅＢ）へのＵＥコンテキストのダウンロードを阻止し得る。つまり、当該技術は、ＵＬまたはＤＬにおいてデータアクティビティが予期される場合のみ、ＵＥコンテキストをｅＮｏｄｅＢにダウンロードすることを含み得る。ＵＥが新たな省電力状態から接続モードに移る前に、ｅＮｏｄｅＢはＵＥコンテキストを伝送するよう移動性管理エンティティ（ＭＭＥ）に要求し得る。
【００１６】
ある例において、ＵＥについてデータアクティビティが予期されない場合は、ＵＥコンテキストの送信は最小にされ得る。ある例において、ＵＬまたはＤＬにおいてデータアクティビティが予期されない場合、ＵＥは新たなＲＲＣ省電力モードへと戻り得る。例えば、いずれのＵＬデータも送信する必要なく、または送信すべきＵＬデータ無しに、ＵＥが接続を確立中であることを、ＵＥはｅＮｏｄｅＢに示し得る。送信されることを待機しているＤＬデータがある場合、ｅＮｏｄｅＢはＭＭＥからＵＥコンテキストを要求し得るか、または、送信されることを待機しているＤＬデータがない場合、ｅＮｏｄｅＢはＭＭＥからＵＥコンテキストを要求することをスキップし得る。ｅＮｏｄｅＢがＭＭＥからＵＥコンテキストを要求する例において、ＭＭＥはＵＥコンテキストを送信しうる。上記の例の別の場合において、ＭＭＥは、ＵＥは到達可能であること、しかしＤＬデータが受信されない限り、ｅＮｏｄｅＢにＵＥコンテキストは伝送されないことを示すフラグをイネーブルにし得る。ある例において、現在のＵＥ状態についてＭＭＥとｅＮｏｄｅＢとが同期した状態を維持すべく、ＭＭＥはｅＮｏｄｅＢに何らかのシンプルな通信を送信し得るか、または、ｅＮｏｄｅＢと連携し得る。ＭＭＥはまた、ＵＥに送信されることを待機しているＤＬがないことを示すなどして、ｅＮｏｄｅＢからのＵＥコンテキストの要求を拒否し得る。
【００１７】
ＭＭＥは、ＵＥが周期的なＴＡＵのために新たなＲＲＣ省電力モードから来たことを決定し得る。ＭＭＥはまた、ＵＥに送信されることを保留中かもしれないＭＴ（ＤＬ）データがあるかどうかをチェックし得る。例えば、ＵＥが新たなＲＲＣ省電力モードから来たことを決定するための技術は、現在のＲＲＣ確立理由（ＲＲＣ−Ｅｓｔａｂｌｉｓｈｍｅｎｔ−Ｃａｕｓｅ）もしくはＮＡＳ−ＰＤＵメッセージを用い得るか、または、当該技術は新たなＩＥ（例えば、ＭＴ−チェック）を用いて、ＭＯデータアクティビティは予期されないが、ＵＥが接続モードに戻ったことを示し得る。ある例において、Ｓ−ＧＷまたはＰ−ＧＷが用いられて、送信されるＤＬデータがあるかどうかを決定し得る。
【００１８】
ある例において、ＵＥにおいて消費電力を改善するための複数の技術は、ＲＲＣ接続解除メッセージまたは等価なメッセージを介して省電力関連情報を伝送することを含み得る。別の例は、シグナリングオーバーヘッドを被ることなくデータを伝送またはチェックすることに関するなど、新たなＲＲＣ省電力モードに関する複数の更なる詳細を含み得る。それらの更なる詳細はまた、ＵＥ接続時間を最小にすることによって電力を節約することを含み得る。
【００１９】
ある例において、既存のＲＲＣ接続解除メッセージもしくは別のＲＲＣメッセージ、または新たなＲＲＣメッセージは、複数の省電力技術をトリガし得る。ＲＲＣ接続解除メッセージまたは等価なメッセージはまた、余分な電力を節約すべく、拡張された間欠受信（ＤＲＸ）周期値、サポート、アクティブ化、または複数の関連するパラメータ（例えば、拡張されたＤＲＸ周期に基づいてどれくらいの頻度で周期的なＴＡＵが行われる必要があるかに関する複数の他のタイマ）などの情報をＵＥに示す、または伝送し得る。ＲＲＣ接続解除メッセージまたは等価なメッセージは、新たなＲＲＣ省電力モード（例えば、ＲＲＣアイドル内のＲＲＣディープアイドル状態またはＲＲＣディープアイドルモード副状態）へのＵＥの遷移を有すべく、理由インジケータ（Ｃａｕｓｅ Ｉｎｄｉｃａｔｏｒ）を解除することを含み得る。加えて、ＲＲＣ接続解除メッセージまたは等価なメッセージは新たなＲＲＣ省電力モードに関連する複数のタイマを含み得る。
【００２０】
ある例において、新たなＲＲＣ省電力モードのサポートを特定するための技術は、ＵＥが新たなＲＲＣ省電力モードにある間に第１のパケットが送信される場合など、ＵＥが極端な遅延をサポートし得るかどうかを決定することを含み得る。別の例において、新たなＲＲＣ省電力モードのサポートを特定することは、ＵＥからのインジケーション、ｅＮｏｄｅＢからのインジケーション、ＵＥへのインジケーション、ｅＮｏｄｅＢへのインジケーション、またはこれらのインジケーションの任意の組み合わせを含み得る、ＲＲＣ省電力モードの新たな機能をＵＥがサポートするというインジケーションを送信または受信することを含み得る。
【００２１】
ＵＥの無線能力は、新たなパラメータを用いるなどして、ＵＥにおける新たなＲＲＣ省電力モードのサポートを示すべく用いられ得る。ある例において、当該新たなパラメータは、例えば３ＧＰＰ技術仕様３６．３０６「進化型ユニバーサル地上無線アクセス（Ｅ−ＵＴＲＡ）；ユーザ機器（ＵＥ）無線アクセス能力」（例えば、リリースバージョン１２．０．０またはそれ以降のバージョン）と同様の技術仕様に追加され得るような、４．３．８．１０ｅｘｔｒｅｍｅＤｅｌａｙＴｏｌｅｒａｎｔなどの新たなフィールドによって表され得る。１の値が、デバイスが（例えば、拡張されたＤＲＸ周期の順序で）長期の遅延を容認することを示し得る、ｅｘｔｒｅｍｅＤｅｌａｙＴｏｌｅｒａｎｔ、ｐｏｗｅｒＳａｖｉｎｇＳｕｐｐｏｒｔ、ｄｅｅｐＩｄｌｅＳｕｐｐｏｒｔ、またはｕｎｒｅａｃｈａｂｌｅＳｕｐｐｏｒｔパラメータなどの新たなパラメータは、（ＵＥなどの）デバイスが、全てのそのアプリケーションについて、拡張されたＤＲＸ周期の順序でそのデータ送信または受信を遅延させ得るかどうかを定めることを含み得る。
【００２２】
新たなＲＲＣ省電力状態は、ＵＥ固有の複数の要件に応じてイネーブルまたはディセーブルにされることを含み得る動的設定であり得る。当該動的設定は、非アクセス層（ＮＡＳ）プロトコルデータユニット（ＰＤＵ）またはＲＲＣメッセージを介すなどしたインジケーションを含み得る。ある例において、当該インジケーションは、アタッチまたはトラッキングエリア更新（ＴＡＵ）の要求などの省電力関連情報を有する移動性管理エンティティ（ＭＭＥ）にＵＥによって送信されるＮＡＳ  ＰＤＵを含み得る。ＭＭＥはまた、コンテキスト伝送を介すなどして、ｅＮｏｄｅＢに情報を伝送し得る。ある例において、当該インジケーションは、ＲＲＣ接続再設定完了またはＲＲＣ接続セットアップ完了の複数のインジケーションなどにより、ｅＮｏｄｅＢに、複数のアップリンクＲＲＣメッセージを介して省電力関連情報を送信することを含む、ＵＥによって送信されるＲＲＣメッセージを含み得る。省電力関連情報は、ブーリアンまたは列挙子のインジケータなどの新たな情報要素を介した新たなＲＲＣ省電力モードの非アクティブ化またはアクティブ化を含み得る。省電力関連情報はまた、ＵＥがいつ新たなＲＲＣ省電力モードに入るべきかを示すタイマ、または、戻る前にＵＥがどれくらい長く新たなＲＲＣ省電力状態に留まるべきかを示すタイマなど、新たなＲＲＣ省電力モードに関連する複数の新たなタイマの値を含み得る。ある例において、それらの新たなタイマの値は、ｅＮｏｄｅＢに送信されるＲＲＣメッセージにおいて、または、ＴＡＵまたはアタッチを介してＵＥによってＭＭＥに送信されるＮＡＳ  ＰＤＵ情報において含まれ得る。
【００２３】
ある例において、ネットワークは、システム情報ブロック（ＳＩＢ）メッセージ、Ｍａｃ−ＭａｉｎＣｏｎｆｉｇ  ＩＥ、Ｏｔｈｅｒ−Ｃｏｎｆｉｇ  ＩＥを用いる、既存のＲＲＣまたはＮＡＳのメッセージ（例えば、ＲＲＣ接続解除）を用いる、または、新たなＲＲＣまたはＮＡＳのメッセージを用いる、などして、新たなＲＲＣ省電力モードに関連付けられるそのサポートまたは複数のパラメータを報知もしくは専用のシグナリングを介して示しうる。新たなＲＲＣ省電力モードに関連付けられるサポートまたは複数のパラメータは、ブーリアンまたは列挙子のインジケータなどの新たな情報要素を介した新たなＲＲＣ省電力モードの非アクティブ化またはアクティブ化を含み得る。新たなＲＲＣ省電力モードに関連付けられるサポートまたは複数のパラメータはまた、ＵＥがいつ新たなＲＲＣ省電力モードに入るべきかを示すタイマ、または、他の状態に戻る前にＵＥがどれくらい長く新たなＲＲＣ省電力モードに留まるべきかを示すタイマなど、新たなＲＲＣ省電力モードに関連する新たなタイマの値を含み得る。
【００２４】
図１は、いくつかの実施形態による、ＲＲＣディープアイドル状態を含むＵＥの複数の状態および複数の遷移を示すダイヤグラム１００の例を概して示す。ある例において、新たなＲＲＣ省電力状態は、ＲＲＣディープアイドル状態１０２を含み得て、ＲＲＣディープアイドル状態１０２は、ＲＲＣアイドル状態１０４のＲＲＣ省電力状態または副状態またはモードと呼ばれ得る。ＲＲＣディープアイドル状態１０２は、アイドルからディープアイドルへの遷移１０８を用いて、アクティブタイマが満了するまでなどＵＥが一定時間ＲＲＣアイドル状態１０４に留まった後に到達され得る。ＵＥは、新たなアップリンク（ＵＬ）データが保留になるまで、または、ＴＡＵ、もしくはＵＥに送信されることを待機しているダウンリンク（ＤＬ）データがあるかどうかをチェックするタイマなどの内部タイマが満了するまで、ＲＲＣディープアイドル状態１０２に留まり得る。ＵＥは、ディープアイドルからアイドルへの遷移１１０を用いるなどにより、ＲＲＣアイドル状態１０４へ向けてＲＲＣディープアイドル状態１０２を離れ得る。
【００２５】
ある例において、ＵＥのＲＲＣ接続状態１０６は解除され得て、ＵＥは接続からディープアイドルへの遷移１１２を用いるなどにより、ＲＲＣディープアイドル状態１０２に直接移行し得る。別の例においては、ＵＥが省電力状態から来ており、かつ、送信されることを待機しているデータアクティビティがない、またはいずれかのサーバもしくはアプリケーションがＵＥへの到達を試みたというインジケーションがない複数の場合などについては、ＵＥのＲＲＣ接続は保持される。
【００２６】
ある例において、ＵＥは、ＲＲＣ接続状態１０６からＲＲＣディープアイドル状態１０２へ移るべく、接続からディープアイドルへの遷移１１２を用いるなどして、接続状態から直接省電力状態に遷移し得る。当該遷移は、（例えば、新たなＲＲＣ省電力解除メッセージを生成する）新たなメッセージ、または、（例えば、新たなｐｏｗｅｒＳａｖｉｎｇＩｎｄｉｃａｔｉｏｎ情報要素（ＩＥ）を有するＲＲＣ解除メッセージを用いる）、既存の複数のメッセージの何れかにおける新たなＩＥなどのインジケーションをネットワークが送信するとき、接続からディープアイドルへの遷移１１２を用いることを含み得る。別の例において、遷移は、ネットワークもしくはＵＥによって予め定められるタイマ、または、技術仕様によってネゴシエートもしくは規定されるタイマ（例えば、接続から省電力へのタイマ）、の満了などによって、一定時間が経過した後で、接続からディープアイドルへの遷移１１２を用いることを含み得る。
【００２７】
ある例において、ＵＥは、ネットワークもしくはＵＥによって予め定められるタイマ、または、技術仕様によってネゴシエートもしくは規定されるタイマ（例えば、接続からアイドルへのタイマ、または接続のタイマ）、の満了などによって、一定時間が経過した後で、タイマ１２０を用い、接続からアイドルへの遷移を用いて、ＲＲＣ接続状態１０６から自動的にＲＲＣアイドル状態１０４へ遷移し得る。この技術においては、ＲＲＣ解除メッセージを用いることは回避され得る。
【００２８】
上述された複数の技術はまた、ＵＥがデータを送信または受信する複数の場合において適用され得る。
【００２９】
ある例において、ＲＲＣ解除タイマを介したネットワークインジケーションなどによって、インジケーション１１８を用いる接続からアイドルへの遷移を用いることによってＵＥがＲＲＣ接続状態１０６からＲＲＣアイドル状態１０４へ遷移するように、ＵＥのＲＲＣ接続は解除され得る。ＵＥは、ページ、もしくはＵＬデータによるＵＥ決定を介したネットワークインジケーションによって、または複数の周期タイマ（例えば、ＴＡＵ周期タイマもしくはＴ３４１２）の満了などによって、ＲＲＣ接続を確立するなどして、アイドルから接続への遷移１１６を用いてＲＲＣアイドル状態１０４からＲＲＣ接続状態１０６に遷移し得る。ＵＥは、タイマ（例えば、アクティブタイマまたは到達可能タイマまたはアイドルタイマ）の満了によるＵＥ決定などによって、アイドルからディープアイドルへの遷移１０８を用いてＲＲＣアイドル状態１０４からＲＲＣディープアイドル状態１０２に遷移し得る。ＵＥは、モバイル発信（ＭＯ）データもしくはＤＬデータによるＵＥ決定、または、タイマ（例えば、ＴＡＵタイマまたは到達不可能タイマまたは省電力タイマ）の満了などによって、ディープアイドルからアイドルへの遷移１１０を用いてＲＲＣディープアイドル状態１０２からＲＲＣアイドル状態１０４に遷移し得る。したがって、ＵＥは、ディープアイドルからアイドルへの遷移１１０およびディープアイドルからのアイドルから接続への遷移１１４を用いて、ＲＲＣアイドル状態１０４を介してＲＲＣディープアイドル状態１０２からＲＲＣ接続状態１０６へ遷移し得て、ＵＥはＲＲＣ接続を確立し得る。
【００３０】
ある例において、ＲＲＣ接続状態１０６は、ＵＥがｅＮｏｄｅＢによって到達可能であることを含み得る。ある例において、ＲＲＣアイドル状態１０４はＵＥがｅＮｏｄｅＢによって到達可能であることを含み得る。ある例において、ＲＲＣディープアイドル状態１０２は、ＵＥがｅＮｏｄｅＢによって到達不可能であることを含み得る。ＲＲＣディープアイドル状態１０２はＡＳを非アクティブにすることを含み得る。
【００３１】
図２は、いくつかの実施形態による、省電力状態を含む、ＵＥの複数の状態および複数の遷移を示すダイヤグラム２００の例を概して示す。ある例において、新たなＲＲＣ省電力モードは、ＲＲＣ＿Ｐｏｗｅｒ＿ＳａｖｉｎｇまたはＲＲＣ＿Ｄｏｒｍａｎｔ状態２０６を含み得る。ＲＲＣ＿Ｃｏｎｎｅｃｔｅｄ状態２０２とＲＲＣ＿Ｉｄｌｅ状態２０４との間の複数の遷移は、図１のＲＲＣ接続状態１０６およびＲＲＣアイドル状態１０４に関して前に説明された。同様に、ＲＲＣ＿Ｉｄｌｅ状態２０４とＲＲＣ＿Ｐｏｗｅｒ＿ＳａｖｉｎｇまたはＲＲＣ＿Ｄｏｒｍａｎｔ状態２０６との間の複数の遷移は、図１のＲＲＣアイドル状態１０４およびＲＲＣディープアイドル状態１０２に関して前に説明された。ＲＲＣ＿Ｐｏｗｅｒ＿ＳａｖｉｎｇまたはＲＲＣ＿Ｄｏｒｍａｎｔ状態２０６は、ＵＥが到達不可能な、ＥＭＭ−ＲＥＧＩＳＴＥＲＥＤ.ＤＥＥＰ−ＩＤＬＥまたはＥＭＭ−ＲＥＧＩＳＴＥＲＥＤ.ＵＮＲＥＡＣＨＡＢＬＥまたはＥＭＭ−ＲＥＧＩＳＴＥＲＥＤ.ＰＯＷＥＲ−ＳＡＶＩＮＧまたはＥＭＭ−ＲＥＧＩＳＴＥＲＥＤ.ＤＯＲＭＡＮＴなどの関連する進化型パケットシステム（ＥＰＳ）移動性管理（ＥＭＭ）状態を含み得る。例えば、ＲＲＣ接続解除から省電力への遷移２０８は、ＵＥが登録されており、ＡＳアクティビティが非アクティブ化されており、かつ、デバイスが到達不可能であるとみなされるなどのＵＥ到達不可能ＥＭＭ状態に入ることを含み得る。
【００３２】
図３は、いくつかの実施形態による、複数のシグナリングメッセージを示す図の例を概して示す。ある例において、ＵＥ３０２は、ＲＲＣ省電力状態３０６にあり得る。ＵＥは、ＲＲＣ省電力状態３０６からＲＲＣアイドル状態３０８に遷移し得る。ＲＲＣ省電力状態３０６にあるＵＥは、複数の周期的な登録（ＲＡＵ／ＴＡＵ）手順は継続し得るが、ＡＳ選択（セル／ＲＡＴ／ＰＬＭＮ、ここで、ＲＡＴは無線アクセス技術を表し、ＰＬＭＮは公衆陸上移動ネットワークを表す）もＮＡＳ（ＭＭ）手順も実行しないことを含み得る。ＲＲＣ省電力状態３０６において、移動性管理アクティビティは、ディセーブルにされ得るか、または実行され得ない。加えて、例えば、ＭＴＣに関してイネーブルにされる複数のデバイスなどの、低移動度または静止した複数のデバイスに関しては、ＵＥの複数の位置は低ノーマディック移動度のために不変なままである場合もあるので、セル再選択は任意選択とすることができる。
【００３３】
ある例において、ＵＥ３０２は、省電力状態に対して規定される新たな特定のタイマ（例えば、「到達不可能タイマ」または「省電力タイマ」または「ディープアイドルタイマ」）などのタイマの満了までＲＲＣ省電力状態３０６にあり得る。当該タイマはまた、周期的なＴＡＵについてと同じ手順を含み得るＴＡＵタイマであってよい。当該タイマはまた、ＴＡＵのタイマおよび手順とは独立して、各ＵＥに従って設定され得る。しかしながら、新たな省電力タイマが満了した場合、ＵＥは、接続状態に移るための一技術に限定されず、以下でさらに規定され説明され得るような、異なる確立理由およびＮＡＳ−ＰＤＵを用いて接続状態に移り得る。
【００３４】
ある例において、省電力タイマが満了するとき、初期のセル検索または保存情報セル選択を用いるなどして、ＵＥ３０２はセルを選択し、かつ接続状態になり得る。ＵＥ３０２は例えば、選択されたＰＬＭＮで任意のセルにキャンプされ得ない。ＵＥ３０２は、トラッキングエリア更新またはサービス要求を用いてＲＲＣ接続状態に遷移し得る。ＵＥ３０２は、ＰＲＡＣＨプリアンブル３１０を送信し、ランダムアクセスレスポンス（ＲＡＲ）３１２を受信し、ＲＲＣ接続要求（ｍｏ−シグナリングまたはｍｔ−アクセスまたはｍｏ−データ）３１４を送信し、ＲＲＣ接続セットアップ３１６を受信し、かつ、ＲＲＣ接続セットアップ完了３１８を送信し得る。ＲＲＣ接続セットアップ完了３１８は、ＴＡＵサービス要求として設定されるＮＡＳ  ＰＤＵを含み得る。ＲＲＣ接続セットアップ完了３１８は、新たなＮＡの初期のメッセージを含むべく変更され得る。ＲＲＣ接続状態へのＵＥ３０２の遷移は、ＭＯ（ＵＬ）データの伝送もしくはＴＡＵ更新を実行すべく、または、ネットワークがＵＥに送信を望むＭＴ（ＤＬ）データがあるかどうかをチェックすべく、省電力状態から出るＵＥに対してｅＮｏｄｅＢおよびＭＭＥがそれらのレスポンスを異なって調整し得るように、変更された技術を含み得る。
【００３５】
図４は、いくつかの実施形態による、セル選択遷移を示すフローチャートの例を概して示す。ＲＲＣ省電力状態４０２にあるＵＥは、ＲＲＣアイドルに、次にセル選択遷移を用いてＲＲＣ接続に、遷移し得る。ＲＲＣ省電力状態４０２にあるＵＥがキャンプされず、選択されたＰＬＭＮが利用可能である（ＵＥの移動４０４が、はいである）場合、ＵＥは、キャンプすべき適切なセルの検索などをするセル選択を実行し得る。良好な信号条件の下、ＵＥが静止しているか、または、ＵＥが低移動性のＵＥである（ＵＥの移動４０４が、いいえである）場合、ＵＥは、それが依然として同じセルにキャンプされていると想定し得て、適切性に関して保存情報をチェックすることなく保存情報セル選択４０６を用い得る。いずれにしても、次にＵＥは正常キャンプ４０８に進み得て、ＵＥはシステム情報を取得し得て、接続モード４１０に入り得る。
【００３６】
表１は、複数のシグナリングメッセージの表を概して示す。ある例において、ＲＲＣ確立理由および複数のＮＡＳ  ＰＤＵシグナリングメッセージがマッピングされ、記載され得る。以下で表１と呼ばれる表Ｄ．１．１．は、修正され得るような、３ＧＰＰ技術仕様２４．３０１「進化型パケットシステム（ＥＰＳ）のための非アクセス層（ＮＡＳ）プロトコル；ステージ３」、リリースバージョン１２．４．０（２０１４年３月１７日）を含む。
【表１】
2016527848.tif 000003
表１．ＲＲＣ確立理由および複数のＮＡＳ  ＰＤＵシグナリングメッセージのマッピングおよび説明
【００３７】
ある例において、ＭＭＥは、予期されるＭＴ（ＤＬ）データがない場合などに、ＵＥコンテキストおよび能力情報をｅＮｏｄｅＢにダウンロードすることを回避すべく（なぜならそれは周期的なＴＡＵにおいて行われ得るから）、ＵＥ特性を用い得る。ＭＭＥは、たとえＵＥコンテキストがダウンロードされなかったとしても、ＵＥがＲＲＣ省電力状態か戻る場合は到達可能性の情報またはフラグを更新し得る。ＭＭＥは、何らかの軽量情報（ｌｉｇｈｔｗｅｉｇｈｔ ｉｎｆｏｒｍａｔｉｏｎ）をｅＮｏｄｅＢに通信し得て、ｅＮｏｄｅＢはその軽量情報を用いてＵＥの状況を認識し得る。ある例において、ＭＭＥにメッセージを送信した後、ｅＮｏｄｅＢはＭＭＥのレスポンスに応じていくつかのやり方で反応し得る。例えば、ｅＮｏｄｅＢは、ＵＥをＲＲＣアイドルに移すなどによって、周期的なＴＡＵ更新と同様に接続を解除し得る。ｅＮｏｄｅＢは、ＭＴ（ＤＬ）データのための専用のベアラーを確立し得る。ｅＮｏｄｅＢはまた、例えば明確な新たなメッセージ（例えば、ＲＲＣ省電力解除メッセージ）を用いることによって、または予め定められた、もしくは予めネゴシエートされたタイマを用いることによって、アイドルを介することなくＵＥを省電力状態に戻し得る。
【００３８】
図５は、いくつかの実施形態による、ディープアイドル副状態を含むＵＥの複数の状態および複数の遷移を示す図の例を概して示す。ある例において、省電力またはディープアイドル副状態５０６は、ＲＲＣ＿Ｉｄｌｅ状態５０４の副状態であるが、ＲＲＣ＿Ｃｏｎｎｅｃｔｅｄ状態５０２とは別個のＵＥのモードである。省電力またはディープアイドル副状態５０６は、いつ、またはどのように複数のアイドルアクティビティがＵＥの消費電力を節約するかをＵＥにおいて区別し得る。省電力またはディープアイドル副状態５０６とＲＲＣ＿Ｉｄｌｅ状態５０４との間の差は、セル間またはセル内の検索および測定に関連するＡＳなどのアイドルアクティビティを削減することを含み得る。ＵＥは低移動度を有する複数のＭＴＣデバイスを含み得る。新たなＲＲＣ省電力モードについて上述されたような複数の同様の技術および複数の装置は、省電力またはディープアイドルの新たな副状態５０６と、それとＲＲＣ＿Ｉｄｌｅ状態５０４との間の複数の遷移、並びに省電力またはディープアイドル副状態５０６から最終的にはＲＲＣ＿Ｃｏｎｎｅｃｔｅｄ状態５０２への、直接的な、またはＲＲＣ＿Ｉｄｌｅ状態５０４を介した間接的な複数の遷移と、に適用され得る。
【００３９】
図６は、いくつかの実施形態による、接続モードを離れるときのＵＥの複数の状態遷移を示す図の例を概して示す。ある例において、ＵＥは、正常キャンプまたは任意のセルへのキャンプまたは任意のセルの選択などのいくつかの異なるステータスにおいて維持され得る。ＵＥはさらに、スリープ、オフもしくはディセーブル、または、アクティブもしくはオンのモードなどの異なる複数のＡＳモードにおいて維持され得る。ＵＥはＡＳオフでのキャンプまたはＡＳ非アクティブキャンプ（ｃａｍｐｅｄ ＡＳ ｄｅａｃｔｉｖａｔｅｄ）６０８などの簡略化された状態を含み得る。ＵＥは、接続モードを離れるとき、セル選択６０２を用い得る。ＡＳ非アクティブキャンプ６０８状態において、ＵＥは、セル再選択を実行することを回避する、または、セル再選択を実行するための複数のトリガはディセーブルにされ得る。ＡＳスリープまたはオフまたはディセーブルのモードは、既存のＲＲＣアイドル状態内または別個のＲＲＣディープアイドル状態における、ＲＲＣディープアイドルモードなどのＲＲＣアイドル副状態において規定され得る。ある例において、予めネゴシエートされたタイマを含み得るタイマが満了した後ネットワークによって、または、ＲＲＣ接続解除または新たなＲＲＣメッセージの新たなＩＥを介してなどによるネットワークの直接的なインジケーションによって、ＵＥはＲＲＣアイドルに移り得て、ＵＥはＡＳをオフにする、またはＲＲＣディープアイドルモードまたはＲＲＣアイドル副状態に入り得る。この遷移は、たとえＵＥがモバイルであっても起こり得る。ＵＥは、ページングチャネルを待機すべく遅れずにウェイクアップし得る。ＵＥはセル同期またはセル再選択を任意に実行し得る。ＤＲＸページング周期が、ＲＲＣディープアイドルモードに入ることなどによって、特定の値を超えて拡張される場合、ＵＥはスリープ期間の間電力を節約し得る。当該スリープ期間は複数のページングオケージョン（ｐａｇｉｎｇ ｏｃｃａｓｉｏｎ）外の時間を含む。ＲＲＣＣｏｎｎｅｃｔｉｏｎＲｅｌｅａｓｅは、ＡＳスリープモードでＵＥをＲＲＣアイドル状態に遷移させるべく、拡張され得る。このＲＲＣＣｏｎｎｅｃｔｉｏｎＲｅｌｅａｓｅは、ＡＳをオフにすべくＵＥがタイマを維持することを回避できるようにし得る。ＡＳスリープモードでのＲＲＣアイドル状態は、拡張されたＤＲＸ周期値および対応するタイマを含み得る。
【００４０】
ある例において、接続モードを離れるとき、ＵＥは、適切なセルを見つけるべくセル選択６０２を用い得る。ＡＳが非アクティブである場合、ＵＥは、見つけられた適切なセルのＡＳ非アクティブ遷移６１０を用いて、ＡＳ非アクティブキャンプモード６０８に入り得る。ＡＳがアクティブである場合、ＵＥは、見つけられた適切なセルのＡＳアクティブ遷移６１２を用いて正常キャンプモード６０６に入り得る。ＵＥは、正常キャンプモード６０６を離れ、ＡＳ非アクティブ化遷移６２０を用いて、ＡＳ非アクティブキャンプモード６０８に入り得る。同様に、ＵＥは、ＡＳ非アクティブキャンプモード６０８を離れ、ＡＳアクティブ化遷移６２２を用いて正常キャンプモード６０６に入り得る。ＵＥは、アイドルモードを離れる遷移６１８を用いて、正常キャンプモードを離れて接続モード６０４に入り得る。接続モードから、ＵＥは、省電力モード６１４に戻る、またはアイドルモード６１６に戻ることができる。
【００４１】
図７は、いくつかの実施形態による、ＵＥの複数の状態遷移を示す複数の波形の例を概して示す。３つの異なる波形７０４、７１０および７２０の例が、それぞれグラフ７００Ａ、７００Ｂおよび７００Ｃに示される。３つの例全てにおいて、波形が２である場合、これらの例は、ＵＥがデータのＴＸまたはＲＸを可能にする接続モードにある場合の例を含み得る。波形が１である場合、データの保留がない、ＵＥがアクティブである場合（例えばＰＤＣＣＨのチェック）を含み得る。波形が０である場合、それらの例は、ＵＥがアイドルまたはスリープモードである場合の例を含み得る。波形が−１である場合、それらの例は、ＵＥが省電力副状態におけるアイドルまたはスリープモードにある場合か、またはＵＥはディープアイドルモードにある場合の例を含み得る。３つの例全てにおいて、波形が２から１に遷移する場合、これは、アクティブデータの送信（ＴＸ）または受信（ＲＸ）から、送信（ＴＸ）または受信（ＲＸ）されるべきデータがない場合へのＵＥの遷移を表し得る。
【００４２】
ＵＥは、例えば、波形７０４が１から０へと移るＲＲＣ接続解除７０２によって表されるように、データを有さないアクティブからアイドルモードへ遷移し得る。グラフ７００Ａにおいて、ＵＥは、例えば、波形７０４が０であるようなアイドルモードであり得て、波形７０４が１であるような接続モードに入ることによってデータを周期的にチェックし得る。
【００４３】
ＵＥは、例えば、波形７１０が１から０へと移るＲＲＣ接続解除７０６によって表されるように、データを有さないアクティブからアイドルモードへ遷移し得る。グラフ７００Ｂにおいて、ＵＥは、例えば、波形７１０が−１であるディープアイドル状態であってよい。ＵＥは、例えば、まずアイドルモード（波形７１０が０）に入り、それから、次のページングオペレーション（ＰＯ）の後にディープアイドル状態に入る（波形７１０が０から１、１から−１へと遷移する）ことによって、第１の遷移ゾーン７０８においてグラフ７００Ｂに示されるように、接続状態から直ちに省電力副状態またはディープアイドル状態に遷移するか、または次のＰＯの後に遷移し得る。
【００４４】
ＵＥは、例えば、波形７２０が１から０へと移るＲＲＣ接続解除７１２によって表されるように、データを有さないアクティブからアイドルモードへ遷移し得る。グラフ７００Ｃにおいて、ＵＥは、波形７２０が−１であるような、ディープアイドル状態であってよい。ＵＥは、省電力タイマ７１４などのタイマの満了の後に省電力副状態またはディープアイドル状態に遷移し得る。省電力タイマ７１４は、アイドル状態への遷移の後に直ちに開始するか、または、タイマ開始ゾーン７１６においてグラフ７００Ｃに示されるように次のＰＯの後に開始し得る。当該タイマが満了した後、ＵＥは、接続状態から、またはアイドル状態から直ちに省電力副状態またはディープアイドル状態に遷移し得るか、または、第２の遷移ゾーン７１８においてグラフ７００Ｃに示されるように次のＰＯの後に遷移し得る（波形７２０が１から０、０から−１へと遷移する）。
【００４５】
ある例において、ＵＥは、例えば、同期して、クロックドリフトを補償するようＰＯの前にウェイクアップすべく、直ちにまたは短い遅延の後に、接続と省電力副状態との間で遷移し得る。
【００４６】
図８は、いくつかの実施形態による、ＵＥがＭＴＣ８０２に用いられるよう設定されるという通知を、ｅＮｏｄｅＢが受信する段階と、ＵＥがＲＲＣ＿Ｃｏｎｎｅｃｔｅｄ状態８０４にあるかどうかを決定する段階と、ＵＥが省電力モード８０６に入り得るかどうかを決定する段階と、ＵＥがＲＲＣ＿Ｃｏｎｎｅｃｔｅｄ状態にあり、かつ、ＵＥが省電力モード８０８に入り得るという決定に応答して、ＲＲＣディープアイドルモードに移行するようＵＥを設定する段階と、を含み得る方法などの技術を概して示す。
【００４７】
図９は、本明細書において説明される複数の技術うちの任意の１つまたは複数の技術（例えば、複数の方法）がいくつかの実施形態に従って実行され得る、機械９００のブロック図の例を概して示す。複数の代替的な実施形態において、機械９００はスタンドアロンデバイスとして動作し得るか、または他の複数の機械に接続され（例えば、ネットワーク接続され）得る。ネットワーク接続された配置において、機械９００は、サーバ−クライアントネットワーク環境で、サーバマシン、クライアントマシン、またはその両方の能力内で動作し得る。ある例において、機械９００は、ピアツーピア（Ｐ２Ｐ）（または他の分散型の）ネットワーク環境においてピアマシンとして動作し得る。機械９００は、パーソナルコンピュータ（ＰＣ）、タブレットＰＣ、セットトップボックス（ＳＴＢ）、パーソナルデジタルアシスタント（ＰＤＡ）、携帯電話、ウェブ機器、ネットワークルータ、スイッチもしくはブリッジ、または、任意の機械であり、その機械によって行われる複数の動作を特定する（シーケンシャルな、またはシーケンシャルでない）複数の命令を実行可能な任意の機械、であり得る。さらに、単一の機械のみが示されるが、「機械」という用語はまた、クラウドコンピューティング、サービスとしてのソフトウェア（ＳａａＳ）、他の複数のコンピュータクラスタ構成などの、本明細書において説明される複数の方法のうちの任意の１つまたは複数を実行すべく１セットの（または複数セットの）命令を個別にまたは一緒に実行する機械の任意の集合体を含むと理解されるべきである。
【００４８】
本明細書において記載される複数の例は、ロジック、または、いくつかのコンポーネント、モジュールもしくはメカニズムを含むか、または、それらにおいて動作し得る。複数のモジュールは、動作するとき、複数の特定のオペレーションを実行可能な複数の有形のエンティティ（例えば、ハードウェア）である。モジュールはハードウェアを含む。ある例において、当該ハードウェアは、（例えばハードウェアに組み込まれた）特定のオペレーションを実行するよう特別に構成され得る。ある例において、ハードウェアは複数の設定可能な実行ユニット（例えば、トランジスタ、回路等）と、それらの実行ユニットが、動作するときに特定のオペレーションを実行するよう設定する複数の命令を含むコンピュータ可読媒体と、を含み得る。当該設定は、それらの実行ユニットまたはローディング機構の指示を受けて行われ得る。従って、それらの実行ユニットは、デバイスが動作中であるときは、コンピュータ可読媒体に通信可能に結合される。この例において、それらの実行ユニットは１より多いモジュールのうちの一部材であり得る。例えば、動作中、それらの実行ユニットは、一時点において第１のモジュールを実装すべく第１のセットの命令によって設定され、第２のモジュールを実装すべく第２のセットの命令によって再設定され得る。
【００４９】
機械（例えばコンピュータシステム）９００は、ハードウェアプロセッサ９０２（例えば中央処理ユニット（ＣＰＵ）、グラフィックス処理ユニット（ＧＰＵ）、ハードウェアプロセッサコア、またはそれらの任意の組み合わせ）、メインメモリ９０４、およびスタティックメモリ９０６を含み得て、それらのうちのいくつかまたは全ては、インターリンク（例えばバス）９０８を介して互いと通信し得る。機械９００はさらに、ディスプレイユニット９１０、英数字入力デバイス９１２（例えばキーボード）、およびユーザインタフェース（ＵＩ）ナビゲーションデバイス９１４（例えばマウス）を含み得る。ある例において、ディスプレイユニット９１０、英数字入力デバイス９１２、およびＵＩナビゲーションデバイス９１４はタッチスクリーンディスプレイであり得る。加えて機械９００は、記憶デバイス（例えばドライブユニット）９１６、信号生成デバイス９１８（例えばスピーカ）、ネットワークインタフェースデバイス９２０、および、グローバルポジショニングシステム（ＧＰＳ）センサ、コンパス、加速度計または他のセンサなどの１または複数のセンサ９２１を含み得る。機械９００は、１または複数の周辺デバイス（例えば、プリンタ、カードリーダ等）と通信すべく、またはそれらを制御すべく、直列接続（例えば、ユニバーサルシリアルバス（ＵＳＢ））、並列接続、または他の有線もしくは無線接続（例えば、赤外線（ＩＲ）、近距離無線通信（ＮＦＣ）等）などの出力コントローラ９２８を含み得る。
【００５０】
記憶デバイス９１６は、本明細書において記載される複数の技術または複数の機能のうちの任意の１つまたは複数を具現化する、またはそれらによって使用される１または複数のセットのデータ構造もしくは命令９２４（例えばソフトウェア）が格納される非一時的な機械可読媒体９２２を含み得る。複数の命令９２４はまた、機械９００によるそれらの実行の間、メインメモリ９０４内か、スタティックメモリ９０６内か、またはハードウェアプロセッサ９０２内において全体的にもしくは少なくとも部分的に存在しうる。ある例において、ハードウェアプロセッサ９０２、メインメモリ９０４、スタティックメモリ９０６、または記憶デバイス９１６のうちの１つまたは任意の組み合わせは機械可読媒体を構成し得る。
【００５１】
機械可読媒体９２２は単一の媒体として示されるが、「機械可読媒体」という用語は、１または複数の命令９２４を格納するよう構成される単一の媒体または複数の媒体（例えば、集中型または分散型のデータベース、および/または関連付けられる複数のキャッシュおよび複数のサーバ）を含み得る。
【００５２】
「機械可読媒体」という用語は、機械９００によって実行されるための複数の命令を格納、符号化、または搬送可能であるか、機械９００に本開示の複数の技術の任意の１つまたは複数を実行させるか、または、そのような複数の命令によって用いられる、もしくはそのよう複数の命令に関連付けられる複数のデータ構造を格納、符号化、または搬送可能である、任意の媒体を含み得る。非限定的な機械可読媒体の複数の例は、複数のソリッドステートメモリと、光および磁気媒体とを含み得る。ある例において、大容量機械可読媒体は、不変（例えば、静止）質量を有する複数の粒子を有する機械可読媒体を含む。従って、複数の大容量機械可読媒体は、一時的に伝播する信号ではない。大容量機械可読媒体の複数の特定の例は、半導体メモリデバイス（例えば、電気的プログラム可能リードオンリメモリ（ＥＰＲＯＭ）、電気的消去プログラム可能リードオンリメモリ（ＥＥＰＲＯＭ））、およびフラッシュメモリデバイスなどの不揮発性メモリ、内部ハードディスクおよびリムーバブルディスクなどの磁気ディスク、光磁気ディスク、および、ＣＤ−ＲＯＭディスク並びにＤＶＤ−ＲＯＭディスク、を含み得る。
【００５３】
命令９２４はさらに、いくつかの伝送プロトコル（例えば、フレームリレー、インターネットプロトコル（ＩＰ）、伝送制御プロトコル（ＴＣＰ）、ユーザデータグラムプロトコル（ＵＤＰ）、ハイパーテキスト転送プロトコル（ＨＴＴＰ）等）のうちの任意の１つを使用するネットワークインタフェースデバイス９２０を介し、送信媒体を用いて通信ネットワーク９２６を介して送信または受信され得る。複数の例示的な通信ネットワークは、ローカルエリアネットワーク（ＬＡＮ）、ワイドエリアネットワーク（ＷＡＮ）、パケットデータネットワーク（例えばインターネット）、携帯電話ネットワーク（例えば、セルラネットワーク）、単純従来型電話（ＰＯＴＳ）ネットワーク、および、無線データネットワーク（例えば、Ｗｉ−Ｆｉ（登録商標）として既知の複数の規格の電気電子学会（ＩＥＥＥ）８０２．１１ファミリー、ＷｉＭａｘ（登録商標）として既知の複数の規格のＩＥＥＥ８０２．１６ファミリー）、複数の規格のＩＥＥＥ８０２．１５．４ファミリー、ピアツーピア（Ｐ２Ｐ）ネットワークをとりわけ含み得る。ある例において、ネットワークインタフェースデバイス９２０は、１または複数の物理的ジャックキ（例えば、イーサネット（登録商標）ジャック、同軸ジャック、または電話ジャック）、または１または複数のアンテナを含み、通信ネットワーク９２６に接続し得る。ある例において、ネットワークインタフェースデバイス９２０は、複数のアンテナを含み、一入力複数出力（ＳＩＭＯ）技術、多入力多出力（ＭＩＭＯ）技術、または多入力一出力（ＭＩＳＯ）技術のうちの少なくとも１つを用いて無線通信し得る。「送信媒体」という用語は、機械９００によって実行されるための複数の命令を格納、符号化、または搬送可能な任意の無形の媒体を含むと理解されるべきであり、かつ、そのようなソフトウェアの通信を容易にすべく、デジタルもしくはアナログの複数の通信信号または他の無形の媒体を含む。
［様々な注記および例］
【００５４】
ここに記載された方法、システム、およびデバイスの複数の実施形態の複数の追加的な例が、本明細書において記載される複数の構造および複数の技術に従って提案される。他の非限定的な複数の例が、別々に動作するよう構成されるか、または上記において、または本開示全体を通して提供される複数の他の例のうちの任意の１つまたは複数のものとの任意の置換または組み合わせで組み合わされ得る。
【００５５】
例１は、ユーザ機器（ＵＥ）がマシンタイプ通信（ＭＴＣ）に用いられるよう設定されるという通知を受信し、ＵＥが接続状態にあるかどうかを決定し、ＵＥが省電力モードに入り得るかどうかを決定し、ＵＥが接続状態にあり、かつＵＥが省電力モードに入り得るという決定に応答して、省電力モードに移行するようＵＥを設定するよう設計されるプロセッサを備える進化型ノードＢ（ｅＮｏｄｅＢ）によって具現化される主題を含む。
【００５６】
例２において、例１の主題は、接続状態が、無線リソース制御接続（ＲＲＣ＿Ｃｏｎｎｅｃｔｅｄ）状態を含み、かつ、省電力モードが無線リソース制御（ＲＲＣ）ディープアイドルモードを含むことを任意に含み得る。
【００５７】
例３において、例１―２のうちの１つまたは任意の組み合わせの主題は、ＵＥが省電力モードに入り得るかどうかを決定するための複数のオペレーションが、特定の時間が満了すると、ＲＲＣアイドル状態に移行するようＵＥを設定する複数のオペレーションを含むことを任意に含み得る。
【００５８】
例４において、例１―３のうちの１つまたは任意の組み合わせの主題は、ＲＲＣディープアイドルモードがＲＲＣアイドル状態における設定であることを任意に含み得る。
【００５９】
例５において、例１―４のうちの１つまたは任意の組み合わせの主題は、ＲＲＣディープアイドルモードがＲＲＣディープアイドル状態であり、かつＲＲＣアイドル状態とは別々に設定されることを任意に含み得る。
【００６０】
例６において、例１―５のうちの１つまたは任意の組み合わせの主題は、ＲＲＣディープアイドルモードに移行するようＵＥを設定するための複数のオペレーションが、ＵＥにネットワークインジケーションを送信するための複数のオペレーションを含むことを任意に含み得る。
【００６１】
例７において、例１―６のうちの１つまたは任意の組み合わせの主題は、ネットワークインジケーションが新たなＮＡＳシグナリングメッセージを含むことを任意に含み得る。
【００６２】
例８において、例１―７のうちの１つまたは任意の組み合わせの主題は、ネットワークインジケーションが無線リソース制御接続解除（ＲＲＣＣｏｎｎｅｃｔｉｏｎＲｅｌｅａｓｅ）メッセージを含むことを任意に含み得る。
【００６３】
例９において、例１―８のうちの１つまたは任意の組み合わせの主題は、ネットワークインジケーションが、新たなＲＲＣ省電力解除メッセージを含むことを任意に含み得る。
【００６４】
例１０において、例１―９のうちの１つまたは任意の組み合わせの主題は、ＲＲＣアイドル状態に移行するようＵＥを設定するための複数のオペレーションを任意に含み得る。
【００６５】
例１１において、例１―１０のうちの１つまたは任意の組み合わせの主題は、ＲＲＣアイドル状態に移行するようＵＥを設定するための複数のオペレーションが、データアクティビティが予期される場合のみ行われることを任意に含み得る。
【００６６】
例１２において、例１―１１のうちの１つまたは任意の組み合わせの主題は、いつ省電力モードに移行するようＵＥを設定するかを決定するためのタイマを用いる複数のオペレーションを任意に含み得る。
【００６７】
例１３において、例１―１２のうちの１つまたは任意の組み合わせの主題は、通知を受信するための複数のオペレーションが、第３世代パートナーシッププロジェクト（３ＧＰＰ）ロングタームエボリューション（ＬＴＥ）ネットワークを含む無線通信ネットワークを介して行われることを任意に含み得る。
【００６８】
例１４において、例１―１３のうちの１つまたは任意の組み合わせの主題は、特定の時間が満了すると、ＵＥを省電力モードを離れるべく設定するための複数のオペレーションを任意に含み得る。
【００６９】
例１５は、ユーザ機器（ＵＥ）がマシンタイプ通信（ＭＴＣ）に用いられるよう設定されるという通知をｅＮｏｄｅＢが受信する段階と、ＵＥが接続状態にあるかどうかを決定する段階と、ＵＥが省電力モードに入り得るかどうかを決定する段階と、ＵＥが接続状態にあり、かつ、ＵＥが省電力モードに入り得るという決定に応答して、省電力モードに移行するようＵＥを設定する段階と、を含む、進化型ノードＢ（ｅＮｏｄｅＢ）の回路によって実行される方法によって具現化される主題を含むべく、例１―１４のうちの１つまたは任意の組み合わせの主題の全てまたは複数部分を含み得るか、またはそれらと任意に組み合わされ得る。
【００７０】
例１６において、例１５の主題は、いつＲＲＣディープアイドルモードに移行するようＵＥを設定すべきかを決定するためのタイマを用いる段階を任意に含み得る。
【００７１】
例１７において、例１５―１６のうちの１つまたは任意の組み合わせの主題は、ＵＥが省電力モードに入り得るかどうかを決定する段階が、特定の時間が満了すると、ＲＲＣアイドル状態に移行するようＵＥを設定する段階を含むことを任意に含み得る。
【００７２】
例１８において、例１５―１７のうちの１つまたは任意の組み合わせの主題は、ＲＲＣディープアイドルモードに移行するようＵＥを設定する段階が、ＵＥにネットワークインジケーションを送信する段階を含むことを任意に含み得る。
【００７３】
例１９は、コンピューティングシステムのオペレーションのための複数の命令を含む少なくとも１つの機械可読媒体によって具現化される主題を含むべく、例１―１８の１つまたは任意の組み合わせの主題の全てまたは複数部分を含み得るか、または任意に組み合わされ得る。当該複数の命令は、機械によって実行されると、ＵＥがマシンタイプ通信（ＭＴＣ）に用いられるよう設定されるということをＵＥが決定し、ＵＥが無線リソース制御接続（ＲＲＣ＿Ｃｏｎｎｅｃｔｅｄ）状態にあるかどうかを決定し、ＵＥが省電力モードに入り得るかどうかを決定し、ＵＥがＲＲＣ＿Ｃｏｎｎｅｃｔｅｄ状態にあり、かつ、ＵＥが省電力モードに入り得ると決定することに応答して、ＲＲＣディープアイドルモードに移行するようＵＥを設定することを含む複数のオペレーションを機械に実行させる。
【００７４】
例２０において、例１９の主題は、いつＲＲＣディープアイドルモードに移行するようＵＥを設定するかを決定するためのタイマを用いる複数のオペレーションを任意に含み得る。
【００７５】
例２１において、例１９―２０の１つまたは任意の組み合わせの主題は、ＵＥが省電力モードに入り得るかどうかを決定するための複数のオペレーションが、特定の時間が満了すると、ＲＲＣアイドル状態に移行するようＵＥを設定するための複数のオペレーションを含むことを任意に含み得る。
【００７６】
例２２において、例１９―２１の１つまたは任意の組み合わせの主題は、ＲＲＣディープアイドルモードに移行するようＵＥを設定するための複数のオペレーションが、ＵＥにネットワークインジケーションを送信するための複数のオペレーションを含むことを任意に含み得る。
【００７７】
例２３は、マシンタイプ通信（ＭＴＣ）に用いられるよう設定されるトランシーバと、当該トランシーバに結合されるプロセッサであり、ＵＥが無線リソース制御接続（ＲＲＣ＿Ｃｏｎｎｅｃｔｅｄ）状態にあるかどうかを決定し、ＵＥが省電力モードに入り得るかどうかを決定し、ＵＥがＲＲＣ＿Ｃｏｎｎｅｃｔｅｄ状態にあり、かつ、ＵＥが省電力モードに入り得るという決定に応答して、ＲＲＣディープアイドルモードに移行するようＵＥを設定するよう設計されるプロセッサと、を含む、ユーザ機器（ＵＥ）によって具現化される主題を含むべく、例１―２２の１つまたは任意の組み合わせの主題の全てまたは複数部分を含み得る、またはそれらと任意に組み合わされ得る。
【００７８】
例２４において、例２３の主題は、ＵＥが省電力モードに入り得るかどうかを決定することが、特定の時間が満了すると、ＲＲＣアイドル状態に移行するようＵＥを設定することを含むことを任意に含み得る。
【００７９】
例２５において、例２３―２４の１つまたは任意の組み合わせの主題は、ＲＲＣディープアイドルモードに移行するようＵＥを設定することが、ＵＥにネットワークインジケーションを送信することを含むことを任意に含み得る。
【００８０】
これらの非限定的な例のそれぞれは、それ自身で成立するか、または複数のその他の例のうちの１または複数との様々な置換または組み合わせで組み合わされ得る。
【００８１】
上記の発明を実施するための形態は、発明を実施するための形態の一部を形成する複数の添付の図面の参照を含む。それらの図面は、実施され得る複数の特定の実施形態を、例示として示す。これらの実施形態はまた、本明細書において複数の「例」と呼ばれる。そのような複数の例は、示され、または記載されるものに加えて複数の要素を含み得る。しかしながら、本発明者らはまた、示され、または記載されるそれらの要素のみが提供される複数の例をも意図する。さらに、本発明者はまた、本明細書において示され、または記載される、特定の例（または、その１または複数の態様）に関して、または、複数の他の例（または、それらの１または複数の態様）に関して、示され、または記載されるそれらの要素の任意の組み合わせまたは置換（または、その１または複数の態様）を用いる複数の例を意図する。
【００８２】
本明細書と参照によって組み込まれるあらゆる文献との間で矛盾した使用がある場合は、本明細書における使用が有効となる。
【００８３】
本明細書において、特許明細書においては共通なように、「１つの（"ａ"または"ａｎ"）」という用語が用いられて、「少なくとも１つ」または「１または複数」のあらゆる他の例または使用とは独立した、１または１より多い、を含む。別段の指示がない限り、本明細書において、「または」という用語は、非排他的であることを指すべく、または、「ＡまたはＢ」が、「ＡであるがＢではない」、「ＢであるがＡではない」、および、「ＡおよびＢ」を含むように用いられる。本明細書において、「含む（ｉｎｃｌｕｄｉｎｇ）」および「ここで（ｉｎ ｗｈｉｃｈ）」という用語は、「備える（ｃｏｍｐｒｉｓｉｎｇ）」および「ここで（ｗｈｅｒｅｉｎ）」の各用語の平素な英語による等価物として用いられる。また、以下の特許請求の範囲においては、「含む（ｉｎｃｌｕｄｉｎｇ）」および「備える（ｃｏｍｐｒｉｓｉｎｇ）」という用語は無制限なものである。つまり、請求項においてそのような用語の後に挙げられるものに加えて複数の要素を含むシステム、デバイス、物品、構成物、形成物、またはプロセスは、依然としてその請求項の範囲内に含まれるとみなされる。さらに、以下の特許請求の範囲において、「第１」、「第２」、および「第３」等の用語は、単にラベルとして用いられて、それらの対象物に数的な要件を課すことは意図されない。
【００８４】
本明細書において記載される複数の方法の例は、少なくとも一部は機械またはコンピュータで実装され得る。いくつかの例は、電子デバイスを、上記複数の例において記載されたような複数の方法を実行するよう構成すべく動作可能な複数の命令でエンコードされるコンピュータ可読媒体または機械可読媒体を含み得る。そのような複数の方法の実装は、マイクロコード、アセンブリ言語コード、高級言語コードまたは同様のものなどのコードを含み得る。そのようなコードは様々な方法を実行するための複数のコンピュータ可読命令を含み得る。当該コードは、複数のコンピュータプログラム製品の複数部分を形成し得る。さらに、ある例において、当該コードは、実行時または複数の他の時点などにおいて、１または複数の揮発性で非一時的な、または不揮発性で有形のコンピュータ可読媒体に実体的に格納され得る。これらの有形のコンピュータ可読媒体の複数の例は、ハードディスク、リムーバブル磁気ディスク、リムーバブル光ディスク（例えば、コンパクトディスクおよびデジタルビデオディスク）、磁気カセット、メモリカードまたはメモリスティック、ランダムアクセスメモリ（ＲＡＭ）、リードオンリメモリ（ＲＯＭ）、および同様なものを含み得るが、限定はされない。
【００８５】
上記の説明は、例示的であることを意図するものであって、限定的であることは意図しない例えば、上記の複数の例（または、それらの１または複数の態様）は、互いとの組み合わせで用いられ得る。複数の他の実施形態が、例えば、上記の説明を検討して当業者によって用いられ得る。要約は、読者が技術的開示の本質を直ちに確認できるように、連邦規則法典第３７巻§１．７２（ｂ）に従って提供される。それは、特許請求の範囲の範囲または意味を解釈する、または限定するためには用いられないという理解の下で提出される。また、上記の発明を実施するための形態において、様々な特徴は一緒にグループ化されて、開示を簡素化し得る。これは、未請求の開示された特徴がいずれの請求項においても不可欠であるということを意図すると解釈されるべきではない。むしろ、発明の主題は、特定の開示された実施形態の全ての特徴よりも少ないところにあってよい。したがって、以下の特許請求の範囲はこれにより、各請求項が別個の実施形態としてそれ自身で成立しつつ、複数の例または複数の実施形態として発明を実施するための形態に組み込まれ、そのような複数の実施形態は様々な組み合わせまたは置換で互いに組み合わされ得る。複数の実施形態の範囲は、そのような特許請求の範囲が権利を与えられる複数の等価物の全範囲と共に、複数の添付の特許請求の範囲を参照して決定されるべきである。
【００８６】
以下の特許請求の範囲は、これにより発明を実施するための形態に組み込まれ、各請求項は別個の実施形態としてそれ自身で成立している。
【図１】
2016527848.tif 000004
【図２】
2016527848.tif 000005
【図３】
2016527848.tif 000006
【図４】
2016527848.tif 000007
【図５】
2016527848.tif 000008
【図６】
2016527848.tif 000009
【図７】
2016527848.tif 000010
【図８】
2016527848.tif 000011
【図９】
2016527848.tif 000012
【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）がマシンタイプ通信（ＭＴＣ）に用いられるよう設定されるという通知を受信し、
前記ＵＥが接続状態にあるかどうかを決定し、
前記ＵＥが省電力モードに入り得るかどうかを決定し、
前記ＵＥが前記接続状態にあり、かつ、前記ＵＥが前記省電力モードに入り得るという決定に応答して、省電力モードに移行するよう前記ＵＥを設定するプロセッサを備える
進化型ノードＢ（ｅＮｏｄｅＢ）。
【請求項２】
前記接続状態が、無線リソース制御接続（ＲＲＣ＿Ｃｏｎｎｅｃｔｅｄ）状態を含み、かつ、前記省電力モードが無線リソース制御（ＲＲＣ）ディープアイドルモードを含む
請求項１に記載のｅＮｏｄｅＢ。
【請求項３】
前記ＵＥが前記省電力モードに入り得るかどうかを決定するための複数のオペレーションは、特定の時間が満了すると、無線リソース制御アイドル（ＲＲＣ＿Ｉｄｌｅ）状態に移行するよう前記ＵＥを設定するための複数のオペレーションを含む
請求項２に記載のｅＮｏｄｅＢ。
【請求項４】
前記ＲＲＣディープアイドルモードは、無線リソース制御アイドル（ＲＲＣ＿Ｉｄｌｅ）状態における設定である
請求項２に記載のｅＮｏｄｅＢ。
【請求項５】
前記ＲＲＣディープアイドルモードはＲＲＣディープアイドル状態であり、かつ、無線リソース制御アイドル（ＲＲＣ＿Ｉｄｌｅ）状態とは別々に設定される
請求項２に記載のｅＮｏｄｅＢ。
【請求項６】
ＲＲＣディープアイドルモードに移行するよう前記ＵＥを設定するための複数のオペレーションは、前記ＵＥにネットワークインジケーションを送信するための複数のオペレーションを含む
請求項２に記載のｅＮｏｄｅＢ。
【請求項７】
前記ネットワークインジケーションは、新たなＮＡＳシグナリングメッセージを含む
請求項６に記載のｅＮｏｄｅＢ。
【請求項８】
前記ネットワークインジケーションは、無線リソース制御接続解除（ＲＲＣＣｏｎｎｅｃｔｉｏｎＲｅｌｅａｓｅ）メッセージを含む
請求項６に記載のｅＮｏｄｅＢ。
【請求項９】
前記ネットワークインジケーションは、新たな無線リソース制御（ＲＲＣ）省電力解除メッセージを含む
請求項６に記載のｅＮｏｄｅＢ。
【請求項１０】
無線リソース制御アイドル（ＲＲＣ＿Ｉｄｌｅ）状態に移行するよう前記ＵＥを設定するための複数のオペレーションをさらに備える
請求項２に記載のｅＮｏｄｅＢ。
【請求項１１】
前記ＲＲＣアイドル状態に移行するよう前記ＵＥを設定するための複数のオペレーションは、データアクティビティが予期される場合のみ行われる
請求項１０に記載のｅＮｏｄｅＢ。
【請求項１２】
いつ省電力モードに移行するよう前記ＵＥを設定すべきかを決定するためのタイマを用いる複数のオペレーションをさらに備える
請求項１に記載のｅＮｏｄｅＢ。
【請求項１３】
通知を受信するための複数のオペレーションは、第３世代パートナーシッププロジェクト（３ＧＰＰ）ロングタームエボリューション（ＬＴＥ）ネットワークを備える無線通信ネットワークを介して行われる
請求項１から１２の何れか一項に記載のｅＮｏｄｅＢ。
【請求項１４】
特定の時間が満了すると、前記省電力モードを離れるよう前記ＵＥを設定するための複数のオペレーションをさらに備える
請求項１から１２の何れか一項に記載のｅＮｏｄｅＢ。
【請求項１５】
進化型ノードＢ（ｅＮｏｄｅＢ）の回路によって実行される方法であって、
ユーザ機器（ＵＥ）がマシンタイプ通信（ＭＴＣ）に用いられるよう設定されるという通知を前記ｅＮｏｄｅＢが受信する段階と、
前記ＵＥが接続状態にあるかどうかを決定する段階と、
前記ＵＥが省電力モードに入り得るかどうかを決定する段階と、
前記ＵＥが前記接続状態にあり、かつ、前記ＵＥが前記省電力モードに入り得るという決定に応答して、省電力モードに移行するよう前記ＵＥを設定する段階と、を備える
方法。
【請求項１６】
いつＲＲＣディープアイドルモードに移行するよう前記ＵＥを設定すべきかを決定するためのタイマを用いる段階をさらに備える
請求項１５に記載の方法。
【請求項１７】
前記ＵＥが省電力モードに入り得るかどうかを決定する段階は、特定の時間が満了すると、無線リソース制御アイドル（ＲＲＣ＿Ｉｄｌｅ）状態に移行するよう前記ＵＥを設定する段階を含む
請求項１５に記載の方法。
【請求項１８】
ＲＲＣディープアイドルモードに移行するよう前記ＵＥを設定する段階は、前記ＵＥにネットワークインジケーションを送信する段階を含む
請求項１５から１７の何れか一項に記載の方法。
【請求項１９】
ＵＥがマシンタイプ通信（ＭＴＣ）に用いられるよう設定されると前記ＵＥが決定し、
前記ＵＥが無線リソース制御接続（ＲＲＣ＿Ｃｏｎｎｅｃｔｅｄ）状態にあるかどうかを決定し、
前記ＵＥが省電力モードに入り得るかどうかを決定し、
前記ＵＥが前記ＲＲＣ＿Ｃｏｎｎｅｃｔｅｄ状態にあり、かつ、前記ＵＥが前記省電力モードに入り得ると決定することに応答して、ＲＲＣディープアイドルモードに移行するよう前記ＵＥを設定する複数のオペレーションを機械に実行させる
プログラム。
【請求項２０】
いつＲＲＣディープアイドルモードに移行するよう前記ＵＥを設定すべきかを決定するためのタイマを用いる複数のオペレーションをさらに備える
請求項１９に記載のプログラム。
【請求項２１】
前記ＵＥが省電力モードに入り得るかどうかを決定するための複数のオペレーションは、特定の時間が満了すると、無線リソース制御アイドル（ＲＲＣ＿Ｉｄｌｅ）状態に移行するよう前記ＵＥを設定するための複数のオペレーションを含む
請求項１９に記載のプログラム。
【請求項２２】
ＲＲＣディープアイドルモードに移行するよう前記ＵＥを設定するための複数のオペレーションは、前記ＵＥにネットワークインジケーションを送信するための複数のオペレーションを含む
請求項１９から２１の何れか一項に記載のプログラム。
【請求項２３】
マシンタイプ通信（ＭＴＣ）に用いられるよう設定されるトランシーバと、
前記トランシーバに結合されるプロセッサと、
を備えるユーザ機器（ＵＥ）であって、
前記プロセッサは、
前記ＵＥが無線リソース制御接続（ＲＲＣ＿Ｃｏｎｎｅｃｔｅｄ）状態にあるかどうかを決定し、
前記ＵＥが省電力モードに入り得るかどうかを決定し、
前記ＵＥが前記ＲＲＣ＿Ｃｏｎｎｅｃｔｅｄ状態にあり、かつ、前記ＵＥが前記省電力モードに入り得ると決定することに応答して、ＲＲＣディープアイドルモードに移行するよう前記ＵＥを設定する、
ＵＥ。
【請求項２４】
前記ＵＥが省電力モードに入り得るかどうかを決定することは、特定の時間が満了すると、無線リソース制御アイドル（ＲＲＣ＿Ｉｄｌｅ）状態に移行するよう前記ＵＥを設定することを含む
請求項２３に記載のＵＥ。
【請求項２５】
ＲＲＣディープアイドルモードに移行するよう前記ＵＥを設定することは、前記ＵＥにネットワークインジケーションを送信することを含む
請求項２４に記載のＵＥ。
【請求項２６】
請求項１９から２２の何れか一項に記載のプログラムを格納する機械可読記録媒体。
【国際調査報告】
2016527848.tif 000013
2016527848.tif 000014